(57)【要約】      （修正有）【課題】押出成型セメント板の中空部内で水が過度に溜まることを抑制する押出成型セメント板の接合部止水構造を提供する。【解決手段】隣り合うセメント板５、５の間の接合部には、バックアップ材１３が設けられている。バックアップ材１３は、セメント板５の屋外側からセメント板５の中空部５ａに浸入する水を受けて下方に滴下させる緩衝部１３ａと、緩衝部１３ａの屋内側に設けられ、セメント板５の中空部５ａを通って滴下する水を下方に通す透水部１３ｂを備えている。【選択図】図６
2019019562.tif 000002
【特許請求の範囲】
【請求項１】
隣り合う押出成型セメント板の接合部を介した水の浸入を抑制する押出成型セメント板の接合部止水構造であって、
前記押出成型セメント板の中空部内を滴下する水を上下方向の下方に透水させる透水部と、
前記透水部の屋外側に設けられ、前記押出成型セメント板の中空部に屋外側から浸入する水を前記透水部内を透水する水とは異なる経路で上下方向の下方に案内する緩衝部と、
を備えていることを特徴とする押出成型セメント板の接合部止水構造。
【請求項２】
前記透水部と緩衝部とは、一体に形成されていることを特徴とする請求項１記載の押出成型セメント板の接合部止水構造。
【請求項３】
前記透水部は、前記中空部内を滴下する水を通す透水凹部を備えていることを特徴とする請求項１又は２記載の押出成型セメント板の接合部止水構造。
【請求項４】
前記緩衝部は、複数の糸状体を立体的に組み合わせて形成されているとともに内部に隙間を有することを特徴とする請求項１から３のいずれか１項記載の押出成型セメント板の接合部止水構造。
【請求項５】
前記押出成型セメント板にボルトとナットとで締着されて、前記押出成型セメント板を通しアングルに取り付ける取付手段をさらに備え、
前記ナットの前記押出成型セメント板に対向する対向面に、前記ボルトを挿通するボルト穴を囲繞するようにパッキンが設けられていることを特徴とする請求項１から３のいずれか１項記載の押出成型セメント板の接合部止水構造。
【請求項６】
前記ナットの対向面及びパッキンは、前記ボルトに前記ナットが締結された状態で、前記押出成型セメント板に当接することを特徴とする請求項５記載の押出成型セメント板の接合部止水構造。
【請求項７】
前記パッキンは、前記ボルトに前記ナットが締結された状態で、前記ボルトのねじ溝を止水することを特徴とする請求項５又は６記載の押出成型セメント板の接合部止水構造。
【発明の詳細な説明】
【技術分野】
【０００１】
本発明は、隣り合う押出成型セメント板の接合部を介した水の浸入を抑制する押出成型セメント板の接合部止水構造に関する。
【背景技術】
【０００２】
従来、上下方向に押出成型セメント板を組み合わせて外壁を構築する場合に、押出成型セメント板同士の接合部に屋外側から屋内側に向かってシーリング材、バックアップ材及び透水材を配設した防水構造が知られている（例えば、特許文献１参照）。
【０００３】
このような防水構造では、シーリング材が屋外側からの水の浸入を抑制すると共に、バックアップ材及び透水材が押出成型セメント板の中空部を滴下する水を透水させて中空部内に水が溜まることを抑制している。
【先行技術文献】
【特許文献】
【０００４】
【特許文献１】特開２００９−８４８１１号公報
【発明の概要】
【発明が解決しようとする課題】
【０００５】
しかしながら、上述したような防水構造では、シーリング材が劣化してシーリング材の止水性が低下した場合、風圧でシーリング材を通過してバックアップ材に浸入する水と押出成型セメント板の中空部内に浸入した水とがバックアップ材の透水性能を超えると、押出成型セメント板の中空部内に水が過度に溜まる虞があった。
【０００６】
そこで、押出成型セメント板の中空部内で水が過度に溜まることを抑制するために解決すべき技術的課題が生じてくるのであり、本発明は、この課題を解決することを目的とする。
【課題を解決するための手段】
【０００７】
上記課題を達成するために、本発明に係る押出成型セメント板の接合部止水構造は、隣り合う押出成型セメント板の接合部を介した水の浸入を抑制する押出成型セメント板の接合部止水構造であって、前記押出成型セメント板の中空部内を滴下する水を上下方向の下方に透水させる透水部と、前記透水部の屋外側に設けられ、前記押出成型セメント板の中空部に屋外側から浸入する水を前記透水部内を透水する水とは異なる経路で上下方向の下方に案内する緩衝部と、を備えている。
【０００８】
この構成によれば、透水部が中空部を滴下する水を下方に透水し、緩衝部が屋外から接合部に浸入する水を下方に受け流することにより、屋外から浸入した水と中空部を滴下した水とがそれぞれ異なる経路で接合部の下方に案内されるため、接合部付近で水が滞留することを抑制できる。
【０００９】
また、本発明に係る押出成型セメント板の接合部止水構造は、前記透水部と緩衝部とは、一体に形成されていることが好ましい。
【００１０】
この構成によれば、緩衝部及び透水部が一体化されていることにより、緩衝材及び透水部を簡便に設置することができる。
【００１１】
また、本発明に係る押出成型セメント板の接合部止水構造は、前記透水部は、前記中空部内を滴下する水を通す透水凹部を備えていることが好ましい。
【００１２】
この構成によれば、透水凹部が水の経路となることにより、透水部の透水量が確保されるため、中空部を滴下する水を効率的に透水することができる。
【００１３】
また、本発明に係る押出成型セメント板の接合部止水構造は、前記緩衝部は、複数の糸状体を立体的に組み合わせて形成されているとともに、内部に隙間を有することが好ましい。
【００１４】
この構成によれば、緩衝部が立体網状構造体を呈するため、緩衝部が水を運ぶ風を緩衝するとともに風に含まれる水を下方に受け流すことができる。
【００１５】
また、本発明に係る押出成型セメント板の接合部止水構造は、前記押出成型セメント板にボルトとナットとで締着されて、前記押出成型セメント板を通しアングルに取り付ける取付手段をさらに備え、前記ナットの前記押出成型セメント板に対向する対向面に、前記ボルトを挿通するボルト穴を囲繞するようにパッキンが設けられていることが好ましい。
【００１６】
この構成によれば、ボルトがナットに締結されると、押出成型セメント板に押し付けられたパッキンが、ボルト穴とボルトの隙間を覆うように弾性変形するため、押出成型セメント板の中空部からボルト穴を介した水の浸入を抑制することができる。
【００１７】
また、本発明に係る押出成型セメント板の接合部止水構造は、前記ナットの対向面及びパッキンは、前記ボルトに前記ナットが締結された状態で、前記押出成型セメント板に当接することが好ましい。
【００１８】
この構成によれば、ボルトがナットに締結されると、押出成型セメント板にパッキンが押し付けられて弾性変形して、ナットの対向面とパッキンが押出成型セメント板に広範囲で当接することにより、押出成型セメント板への締結荷重がナットの対向面及びパッキンの全体に分散するため、ナットの取り付けに伴う押出成型セメント板の損傷を抑制することができる。
【００１９】
また、本発明に係る押出成型セメント板の接合部止水構造は、前記パッキンは、前記ボルトに前記ナットが締結された状態で、前記ボルトのねじ溝を止水することが好ましい。
【００２０】
この構成によれば、ボルトがナットに締結されると、押出成型セメント板にパッキンが押し付けられたパッキンが、ボルトのねじ溝内に侵入してねじ溝を塞ぐように弾性変形するため、ボルトのねじ溝を介した水の浸入を抑制することができる。
【発明の効果】
【００２１】
本発明に係る押出成型セメント板の接合部止水構造は、透水部が中空部を滴下した水を下方に透水し、緩衝部が屋外から接合部に浸入した水を下方に受け流することにより、屋外から浸入した水と中空部を滴下した水とがそれぞれ異なる経路で接合部の下方に案内されるため、接合部付近で水が滞留することを抑制できる。
【図面の簡単な説明】
【００２２】
【図１】本発明の一実施形態に係る止水構造を適用した外壁を示す一部切欠斜視図。
【図２】押出成型セメント板の接合部を示す斜視図。
【図３】（ａ）は、押出成型セメント板の接合部を示す縦断面図であり、（ｂ）は、基礎と押出成型セメント板との間の横目地を示す縦断面図である。
【図４】（ａ）は、バックアップ材の正面図であり、（ｂ）は、図４（ａ）のＡ−Ａ線断面図。
【図５】従来の止水構造を示す模式図。
【図６】本実施形態に係る止水構造の作用を模式的に説明する図。
【図７】ガスケットの縦断面図。
【図８】（ａ）は、平ナットの正面図であり、（ｂ）は、図７（ａ）のＢ−Ｂ線断面図。
【図９】平ナットにボルトを締結した状態を示す模式図。
【図１０】本発明の一実施形態の変形例に係る止水構造を適用した外壁を示す一部切欠斜視図。
【発明を実施するための形態】
【００２３】
本発明の実施形態について図面に基づいて説明する。なお、以下では、構成要素の数、数値、量、範囲等に言及する場合、特に明示した場合及び原理的に明らかに特定の数に限定される場合を除き、その特定の数に限定されるものではなく、特定の数以上でも以下でも構わない。
【００２４】
また、構成要素等の形状、位置関係に言及するときは、特に明示した場合及び原理的に明らかにそうでないと考えられる場合等を除き、実質的にその形状等に近似又は類似するもの等を含む。
【００２５】
図１は、本発明の一実施形態に係る止水構造を適用した外壁の基本的構成を示す一部切欠斜視図である。図２は、押出成型セメント板の接合部を示す斜視図である。図３（ａ）は、押出成型セメント板の接合部を示す縦断面図である。図３（ｂ）は、基礎と押出成型セメント板との間の横目地を示す縦断面図である。
【００２６】
外壁１は、躯体２ａまたは基礎２ｂにピースアングル３及び通しアングル４を介して押出成型セメント板（以下、単に「セメント板」）５を取り付け、セメント板５を縦横に連結することにより構築される。
【００２７】
躯体２ａは、例えばＨ型鋼材からなる。躯体２ａには、床パネル６が載置されている。ピースアングル３は、Ｌ型鋼材である。ピースアングル３は、躯体２ａの上辺に固定されている。
【００２８】
通しアングル４は、垂直部４ａと水平部４ｂとを有するＬ型鋼材である。垂直部４ａは、ピースアングル３に固定されている。垂直部４ｂは、上下方向に隣り合うセメント板５の間に介装されている。
【００２９】
セメント板５は、取付装置７を介して通しアングル４に固定されている。取付装置７は、段付き取付金具８と、当て板９と、ボルト１０と、平ナット１１と、を備えている。取付装置７は、平ナット１１を除いて公知の構成である。
【００３０】
段付き取付金具８及び当て板９の材質は、ＳＳ４００である。ボルト１０の材質は、軟鋼線材である。平ナット１１は、例えば日新製鋼株式会社の「ＺＡＭ（登録商標）」である。
【００３１】
段付き取付金具８及び当て板９は、上下方向の下方側で通しアングル４の垂直部４ａを挟持するように組み付けられている。また、段付き取付金具８及び当て板９は、上下方向の上方側をボルト１０及び平ナット１１で締結固定されている。これにより、段付き取付金具８の弾性的な圧接力（バネ力）が通しアングル４に作用するため、通しアングル４が段付き取付金具８と当て板９との間に挟着固定されるようになっている。
【００３２】
次に、隣り合うセメント板５間の接合部Ｂ１に設けられた止水構造について、図面３（ａ）、図４に基づいて説明する。
【００３３】
セメント板５には、上下方向に伸びた中空部５ａが形成されている。したがって、止水構造には、外壁１の屋外側から屋内側への水の浸入と中空部５ａ内を滴下する水の屋内側への浸入をともに抑制することが求められる。
【００３４】
接合部Ｂ１には、屋外側から屋内側に向かって、シーリング材１２、バックアップ材１３、第１の水切部材１４、断熱材１５及びガスケット１６がこの順で設けられている。
【００３５】
シーリング材１２は、隣り合うセメント板５の隙間である縦目地１７及び横目地１８の屋外側に充填されている。縦目地１７の幅は、約１０ｍｍに設定されている。横目地１８の幅は、約１５ｍｍに設定されている。シーリング材１２は、屋外からセメント板５への水の浸入を抑制する。
【００３６】
バックアップ材１３は、緩衝部１３ａと、透水部１３ｂと、を備えている。バックアップ材１３は、緩衝部１３ａを屋外側に向けるとともに透水部１３ｂを屋内側に向けるようにして、セメント板５の横目地に挟入されている。
【００３７】
緩衝部１３ａは、細い糸状体を立体的に組み合わせて成り、内部に隙間を有する立体網状構造体である。具体的には、緩衝部１３ａは、糸状体で多角形体を形成し、これら多角形体を組み合わせるように構成され、且つ層状に成形されている。これにより、緩衝部１３ａは、透水性と弾性を兼ね備えている。緩衝部１３ａの材質は、例えば発泡ウレタンであるがこれに限定されるものではない。
【００３８】
透水部１３ｂには、正面から視て波形状に形成され、透水部１３ｂの厚み方向に亘って延伸された透水凹部１３ｃが形成されている。透水凹部１３ｃの形状は、波形状に限定されるものではなく、矩形波状等の如何なる形状であっても構わない。透水部１３ｂの材質は、例えば発泡ポリエチレンであるがこれに限定されるものではない。透水部１３ｂは、透水凹部１３ｃが設けられた分だけ、後述する第２の垂直部１４ｃとの間に隙間を確保することができる。したがって、中空部５ａを滴下する水は、透水凹部１３ｃを図４（ａ）の紙面垂直方向に通過する。
【００３９】
なお、正面から視た透水部１３ｂの面積に対する透水凹部１３ｃの面積の比率（開口率）は、５０％以上が好ましい。これにより、透水部１３ｂの透水量を確保することができる。
【００４０】
また、透水凹部１３ｃの断面積は水を確実に透水するように設定され、例えば透水凹部１３ｃの深さは４ｍｍ以上に設定されるのが好ましい。
【００４１】
また、緩衝部１３ａ及び透水部１３ｂは、図示しない両面テープで接着されて一体化されている。両面テープとしては、例えばブチル系粘着剤等が用いられるがこれに限定されるものではない。緩衝部１３ａ及び透水部１３ｂが一体化されていることにより、バックアップ材１３を簡便に取り付けることができる。なお、緩衝物１３ａと透水部１３ｂとを一体に接合する方法は、上述した両面テープに限定されるものではない。
【００４２】
第１の水切部材１４は、第１の垂直部１４ａと、水平部１４ｂと、第２の垂直部１４ｃと、を備えている。第１の垂直部１４ａは水平部１４ｂの一方端に接続され、第２の垂直部１４ｃは水平部１４ｂの他方端に接続されており、第１の水切部材１４は略Ｚ字状に形成されている。
【００４３】
第１の水切部材１４は、通しアングル４の上面を被覆するように通しアングル４上に載置されている。具体的には、第１の垂直部１４ａは、通しアングル４の垂直部４ａの屋外側に当接している。水平部１４ｂは、通しアングル４の水平部４ｂの上辺に当接している。第２の垂直部１４ｃは、通しアングル４の水平部４ｂの屋外側に配置されている。また、第２の垂直部１４ｃの下端は、断熱材１５の下方まで延伸されている。
【００４４】
これにより、中空部５ａを滴下する水は、バックアップ材１３と第２の垂直部１４ｃとの間から下方へ透水することにより、中空部５ａを滴下する水が通しアングル４を伝ってセメント板５の屋内側に浸入することを抑制する。
【００４５】
断熱材１５は、例えば無機質繊維系断熱材である。断熱材１５は、通しアングル４の水平部４ｂの下方に充填されている。
【００４６】
このようにして、本実施形態に係る接合部Ｂ１の止水構造では、以下のような効果が得られる。すなわち、図５に示すように、従来のバックアップ材９１を用いた止水構造では、セメント板９２の中空部９２ａを滴下する水と、風圧でシーリング材９３を通過した水とがバックアップ材９１内で合流する。したがって、バックアップ材９１の透過性能を超えた水は、バックアップ材９１付近に溜まることが避けられなかった。
【００４７】
一方、図６に示すように、緩衝部１３ａが風圧でシーリング材１２を通過した水を緩衝するとともに水を下方に受け流し、且つ透水部１３ｂがセメント板５の中空部５ａを滴下した水を下方に透水させる。これにより、接合部Ｂ１において屋外から浸入した水と中空部５ａを滴下した水とがそれぞれ異なる経路で接合部Ｂ１の下方に案内されるため、バックアップ材１３の透水性能を超過した水が接合部Ｂ１で滞留することが抑制される。
【００４８】
ガスケット１６は、横目地１８の屋内側に挟入されて断熱材１５の屋内側に設けられている。また、ガスケット１６は、通しアングル４の垂直部４ａと当て板９との間に介装されている。さらに、ガスケット１６は、縦目地１７の屋内側にも挟入されている。
【００４９】
ガスケット１６は、耐水性や耐候性に優れて弾力性を有する材料、例えばＥＰＤＭ発泡体等であるがこれに限定されるものではない。ガスケット１６は、中実に形成されており、図７に示すように５つの角部１６ａを有する先端部１６ｂと、先端部１６ｂに連続する基端部１６ｃと、を備えている。なお、角部１６ａの数は、４つ以下でも構わないし、６本以上であっても構わない。以下、ガスケット１６を配置位置で区別する場合には、縦目地１７に挟入されているガスケットに符号１６Ａを付し、通しアングル４の垂直部４ａと当て板９との間に設けられたガスケットに符号１６Ｂを付し、断熱材１５の屋内側に設けられたガスケットに符号１６Ｃを付す。
【００５０】
ガスケット１６Ａは、先端側１６ｂを隣り合うセメント板５の一方の側面に向けて且つ先端部１６ｂを潰した状態で、即ち略矩形状に弾性変形された状態で隣り合うセメント板５の間に介装される。そして、角部１６ａがそれぞれが独立して止水線として機能することにより、水が１つの角部１６ａを越えて浸入しようとしても他の角部１６ａが止水するため、セメント板５の間から屋内側への水の浸入を抑制する。
【００５１】
また、ガスケット１６Ａが弾力性を有していることにより、地震等で隣り合うセメント板５の一方が他方に対して相対的に移動するような場合であっても、ガスケット１６Ａがセメント板５の動きに追従して変形することにより、隣り合うセメント板５の間の止水性を維持することができる。
【００５２】
ガスケット１６Ｂは、先端側１６ｂをセメント板５に向けて且つ先端部１６ｂを潰した状態で、即ち略矩形状に弾性変形された状態で鉛直部４ａと当て板９との間に介装される。そして、角部１６ａがそれぞれが独立して止水線として機能することにより、水が１つの角部１６ａを越えて浸入しようとしても他の角部１６ａが止水するため、垂直部４ａと当て板９との間から接合部Ｂ１への水の浸入を抑制する。
【００５３】
また、ガスケット１６Ｂが弾力性を有していることにより、地震等で通しアングル４及びセメント板５の一方が他方に対して相対的に移動するような場合であっても、ガスケット１６Ｂが通しアングル４及びセメント板５の動きに追従して変形することにより、垂直部４ａと当て板９との間の止水性を維持することができる。
【００５４】
ガスケット１６Ｃは、先端側１６ｂをセメント板５に向けて且つ先端部１６ｂを潰した状態で、即ち略矩形状に弾性変形された状態で通しアングル４とセメント板５との間に介装される。そして、角部１６ａがそれぞれが独立して止水線として機能することにより、水が１つの角部１６ａを越えて浸入しようとしても他の角部１６ａが止水するため、通しアングル４とセメント板５との間から接合部Ｂ１への水の浸入を抑制する。
【００５５】
また、ガスケット１６Ｃが弾力性を有していることにより、地震等で通しアングル４及びセメント板５の一方が他方に対して相対的に移動するような場合であっても、ガスケット１６Ｂが通しアングル４及びセメント板５の動きに追従して変形することにより、通しアングル４とセメント板５との間の止水性を維持することができる。
【００５６】
次に、基礎２ｂとセメント板５と間の横目地１９の止水構造について、図３（ｂ）に基づいて説明する。
【００５７】
基礎２ｂとセメント板５と間の横目地１９には、屋外側から屋内側に向かって、シーリング材１２、硬質パッキン２０及び第２の水切部材２１がこの順で設けられている。
【００５８】
シーリング材１２を貫通するように水抜きパイプ２２が設けられている。水抜きパイプ２２は、セメント板５の中空部５ａを滴下した水を外部に排水する。
【００５９】
硬質パッキン２０は、セメント板５の下端と通しアングル４との間に介装されている。硬質パッキン２０は、通しアングル４とセメント板５との間に空間を確保し、中空部５ａを滴下した水を水抜きパイプ２２に誘導するものである。
【００６０】
第２の水切部材２１は、第１の垂直部２１ａと、水平部２１ｂと、第２の垂直部２１ｃと、を備えている。第１の垂直部２１ａは水平部２１ｂの一方端に接続され、第２の垂直部２１ｃは水平部２１ｂの他方端に接続されており、第２の水切部材２１は略Ｚ字状に形成されている。
【００６１】
第２の水切部材２１は、通しアングル４の上面を被覆するように通しアングル４上に載置されている。具体的には、第１の垂直部２１ａは、通しアングル４の垂直部４ａの屋外側に当接している。水平部２１ｂは、通しアングル４の水平部４ｂの上辺に当接するとともにセメント板５より屋外側に延伸している。第２の垂直部２１ｃは、通しアングル４の水平部４ｂの屋外側に配置されている。また、第２の垂直部２１ｃの下端は、基礎２ｂに固定されたピースアングル３の下方まで延伸されている。さらに、第２の垂直部２１ｃと基礎２ｂとの間は、シーリング材７及び発泡ポリウレタンから成る止水材２３で封止されている。
【００６２】
これにより、中空部５ａを滴下する水が、外壁１の下端で水抜きパイプ１７から外部に確実に排水されることにより、中空部５ａを滴下する水が通しアングル４を伝ってセメント板５の屋内側に浸入することが抑制される。
【００６３】
また、平ナット１１には、図８（ａ）、（ｂ）に示すようにパッキン２４が取り付けられている。具体的には、パッキン２４は、平ナット１１のセメント板５に対向する対向面１１ａの中央に形成された深さ１ｍｍ程度の凹部１１ｂに接着されている。パッキン２４は、厚み５ｍｍ程度の環状に形成されており、平ナット１１のボルト穴１１ｃを囲繞するように配置されている。パッキン２４は、例えばＥＰＤＭ発泡体等から成るがこれに限定されるものではない。
【００６４】
図９に示すように、ボルト１０が平ナット１１に締結されると、セメント板５にパッキン２４が押し付けられて弾性変形し、セメント板５に押し付けられたパッキン２４が、ボルト穴１１ｃとボルト１０の隙間を覆うように弾性変形するため、セメント板５の中空部５ａからボルト穴１１ｃを介した屋内側への水の浸入を抑制することができる。
【００６５】
また、パッキン２４が厚み方向に圧縮され、平ナット１１の対向面１１ａとパッキン２４とが広範囲でセメント板５に当接する。これにより、セメント板５への締結荷重が平ナット１１の対向面１１ａのみ集中することなく、平ナット１１の対向面１１ａ及びパッキン２４全体に分散するため、平ナット１１の取り付けに伴うセメント板５の損傷を抑制することができる。
【００６６】
そして、弾性変形したパッキン２４は、ボルト１０のねじ溝内に侵入する。したがって、セメント板５の中空部５ａを滴下する水が、ボルト１０のねじ溝を介して屋内側に浸入することを抑制できる。
【００６７】
また、上述した実施形態では、セメント板５をいわゆる縦張りで外壁１を構築した場合を例に説明したが、図１０に示すように、セメント板５をいわゆる横張りで外壁１を構築したものにも適用可能である。
【００６８】
すなわち、横張りのセメント板５では、上下方向に延伸された通しアングル４を取付装置７が水平方向から挟着固定するため、ガスケット１６は、縦目地１７及び横目地１８の屋内側にそれぞれ挟入され、且つ通しアングル４及び取付金具７の間にも挟入される。
【００６９】
このようにして、本実施形態に係るセメント板５の接合部に用いられる止水構造では、緩衝部１３ａが風圧でシーリング材１２を通過した水を緩衝するとともに風に含まれる水を下方に受け流し、且つ透水部１３ｂがセメント板５の中空部５ａを滴下した水を下方に透水させることにより、接合部Ｂ１において屋外から浸入した水と中空部５ａを滴下した水とがそれぞれ異なる経路に案内されるため、バックアップ材１３の透水性能を超過した水がバックアップ材１３付近で滞留することを抑制できる。
【００７０】
なお、本発明は、本発明の精神を逸脱しない限り種々の改変をなすことができ、そして、本発明が該改変されたものにも及ぶことは当然である。
【符号の説明】
【００７１】
１  ・・・  外壁
２ａ・・・  躯体
２ｂ・・・  基礎
３  ・・・  ピースアングル
４  ・・・  通しアングル
４ａ・・・  垂直部
４ｂ・・・  水平部
５  ・・・  セメント板
５ａ・・・  中空部
６  ・・・  床パネル
７  ・・・  取付装置
８  ・・・  段付き取付金具
９  ・・・  当て板
１０・・・  ボルト
１１・・・  平ナット
１１ａ・・・対向面
１１ｂ・・・凹部
１１ｃ・・・ボルト穴
１２・・・  シーリング材
１３・・・  バックアップ材
１３ａ・・・緩衝部
１３ｂ・・・透水部
１３ｃ・・・透水凹部
１４・・・  第１の水切部材
１４ａ・・・（第１の水切部材の）第１の垂直部
１４ｂ・・・（第１の水切部材の）水平部
１４ｃ・・・（第１の水切部材の）第２の垂直部
１５・・・  断熱材
１６、１６Ａ、１６Ｂ、１６Ｃ・・・ガスケット
１７・・・  縦目地
１８、１９・・・横目地
２０・・・  硬質パッキン
２１・・・  第２の水切部材
２１ａ・・・（第２の水切部材の）第１の垂直部
２１ｂ・・・（第２の水切部材の）水平部
２１ｃ・・・（第２の水切部材の）第２の垂直部
２２・・・  水切りパイプ
２３・・・  止水材
２４・・・  パッキン
【図１】
2019019562.tif 000003
【図２】
2019019562.tif 000004
【図３】
2019019562.tif 000005
【図４】
2019019562.tif 000006
【図５】
2019019562.tif 000007
【図６】
2019019562.tif 000008
【図７】
2019019562.tif 000009
【図８】
2019019562.tif 000010
【図９】
2019019562.tif 000011
【図１０】
2019019562.tif 000012